(57)【要約】【課題】邸宅感を損なうことなく垂直方向への量感を増して高級感を演出することができる住宅建物を提供する。【解決手段】寄棟屋根２１を有する家屋本体部２と、陸屋根３１を有する家屋添設部３とからなり、家屋添設部３は、家屋本体部２の寄棟屋根２１の下端部を越える高さの腰壁３２を有するようになされ、この勾配屋根３の下端部周縁と一部分オーバーラップするようにして家屋本体部２と複合され、寄棟屋根２１上に陸屋根３１が立ち上がる家屋添設部３勝ちの納まりとなされた住宅建物１である。また、家屋添設部３の陸屋根３１は、家屋本体部２の寄棟屋根２１の上部側に面する辺のパラペット３３が取り除かれ、寄棟屋根２１からの雨水が、このパラペット３３が取り除かれた開口部３３ａから陸屋根３１に流入して排水されるようになされた住宅建物１である。【選択図】  図１
2004169300.tif 000002
【特許請求の範囲】
【請求項１】
勾配屋根を有する家屋本体部と、陸屋根を有する家屋添設部とからなり、
家屋添設部は、家屋本体部の勾配屋根の下端部を越える高さの腰壁を有するようになされ、この勾配屋根の下端部周縁と一部分オーバーラップするようにして家屋本体部と複合され、勾配屋根上に陸屋根が立ち上がる家屋添設部勝ちの納まりとなされたことを特徴とする住宅建物。
【請求項２】
家屋添設部の陸屋根は、家屋本体部の勾配屋根の上部側に面する辺のパラペットが取り除かれ、勾配屋根からの雨水が、このパラペットが取り除かれた開口部から陸屋根に流入して排水されるようになされた請求項１記載の住宅建物。
【発明の詳細な説明】
【０００１】
【発明の属する技術分野】
本発明は、勾配屋根を有する家屋部分と、陸屋根を有する家屋部分とを複合して構成された住宅建物に関するものである。
【０００２】
【従来の技術】
一般に、勾配屋根と陸屋根とを有する住宅建物としては、例えば、陸屋根の内側の一部分に勾配屋根を設けて複合する形態を取っている住宅建物が知られている（例えば、特許文献１および２参照）。
【０００３】
【特許文献１】
特開平１０−２３８００６号公報
【特許文献２】
特開２００１−２６２７６０号公報
【０００４】
【発明が解決しようとする課題】
しかし、上記従来の住宅建物の場合、勾配屋根全体が陸屋根の内側に納まってしまうので、軒裏が無く、腰壁が切り立ったビルのような建物になってしまうこととなり、邸宅感が無くなってしまう。
【０００５】
ところが、勾配屋根を有する二階建ての通常の住宅建物の場合では、逆に切り立った腰壁が勾配屋根の軒裏高さの位置で途切れてしまうので、垂直方向への量感を表現することができず、高級感を演出することができない。また、規模の小さな住宅建物の場合には、総二階建ての建物本体に勾配屋根を載せたような形状に小さくまとまってしまい邸宅感を演出することができない。
【０００６】
本発明は、係る実情に鑑みてなされたものであって、邸宅感を損なうことなく垂直方向への量感を増して高級感を演出することができる住宅建物を提供することを目的としている。
【０００７】
【課題を解決するための手段】
上記課題を解決するための本発明の住宅建物は、勾配屋根を有する家屋本体部と、陸屋根を有する家屋添設部とからなり、家屋添設部は、家屋本体部の勾配屋根の下端部を越える高さの腰壁を有するようになされ、この勾配屋根の下端部周縁と一部分オーバーラップするようにして家屋本体部と複合され、勾配屋根上に陸屋根が立ち上がる家屋添設部勝ちの納まりとなされたものである。
【０００８】
また、上記住宅建物において、家屋添設部の陸屋根は、家屋本体部の勾配屋根の上部側に面する辺のパラペットが取り除かれ、勾配屋根からの雨水が、このパラペットが取り除かれた開口部から陸屋根に流入して排水されるようになされたものである。
【０００９】
【発明の実施の形態】
以下、本発明の実施の形態を図面を参照して説明する。
【００１０】
図１は住宅建物１の全体構成の概略を示し、図２は同住宅建物１における家屋本体部２の勾配屋根２１と、家屋添設部３の陸屋根３１との複合部分を示している。
【００１１】
すなわち、この住宅建物１は、間口約７．５ｍ、奥行き約７ｍの木造二階建て住宅からなり、勾配屋根２１を有する家屋本体部２と、陸屋根３１を有する家屋添設部３とを複合して構成されている。
【００１２】
家屋本体部２は、間口約５ｍ、奥行き約７ｍの二階建てに形成され、屋根部分には、間口方向に約６．５ｍ、奥行き方向に約８．５ｍとなる寄棟屋根２１が設けられている。
【００１３】
家屋添設部３は、間口約４．５ｍ、奥行き約２ｍの二階建てに形成され、屋根部分には、陸屋根３１が設けられいてる。家屋添設部３は、陸屋根３１の高さが上記家屋本体部２の寄棟屋根２１の棟部２１ａに略等しい高さとなるように形成されており、地面から陸屋根３１の高さまで垂直方向に切り立った腰壁３２を有する略直方体形状に形成されている。この家屋添設部３は、家屋本体部２のファサード面２ａから約３．５ｍセットバックした左側面に設けられ、家屋添設部３と家屋本体部２とは、間口方向に約１ｍオーバーラップする形で複合されている。この複合状態で、家屋添設部３は、家屋本体部２に大きく割り込んだ家屋添設部３勝ちの納まりで複合されている。陸屋根３１は、寄棟屋根２１の勾配上部側に位置する辺のパラペット３３が取り除かれて開口するようになされ、寄棟屋根２１からの雨水がこの開口部３３ａから陸屋根３１に流れ込むようになされている。この陸屋根３１の雨水は、陸屋根３１に設けられた排水溝３４から樋３５（図３参照）を介して排水されるようになされている。また、樋３５で対応できない程の雨水が陸屋根３１に流れ込んできても排水できるように、パラペット３３の立ち上がり部分にオーバーフロー管３６が設けられている。このように、家屋添設部３勝ちの納まりで複合しているが、パラペット３３を取り除いた開口部３３ａを設けているので、勾配屋根２１を流れる雨水の一部が、家屋添設部３に衝突してスムーズな雨水の流れを確保できなくなるといったことも無く、開口部３３ａから陸屋根３１を介して排水溝３４、樋３５を介して排水することができる。
【００１４】
このようにして構成される住宅建物１は、家屋添設部３の一階部分が玄関１ａ、二階部分が吹き抜け１ｂとなされ、陸屋根３１の一部にトップライト３０が設けられている。したがって、寄棟屋根２１が設けられた家屋本体部２では得られない高さの垂直方向への吹き抜けを形成することができ、解放感のある玄関回りを構成することができる。
【００１５】
また、家屋添設部３は、地面から寄棟屋根２１の棟部２１ａに相当する高さまで垂直方向に切り立った腰壁３２を有しているため、この家屋添設部３が垂直方向の量感を増すアクセントとなって、住宅建物１に邸宅感および高級感を演出することとなる。また、図１に示すように、家屋添設部３の腰壁３２の一部に、家屋本体部２の壁面と異なった意匠の壁材を用いることで、外観の意匠性の向上を図ることができる。
【００１６】
なお、本実施の形態において、家屋本体部２と家屋添設部３とは、間口方向に約１ｍオーバーラップする形で複合されているが、このオーバーラップする距離としては、特に１ｍに限定されるものではなく、必要に応じて適宜決定される。ただし、家屋本体部２と家屋添設部３とを完全にオーバーラップさせて複合してしまうと、家屋添設部３には、地面から陸屋根３１に到る垂直方向に切り立った腰壁３２を確保できなくなってしまうこととなり垂直方向の量感を増すことができ難くなるので、この腰壁３２を確保できる範囲で、かつ、寄棟屋根２１上に陸屋根３１のパラペット３３の立ち上がりを確保できる範囲で家屋本体部２と家屋添設部３とを複合しなければならない。
【００１７】
また、本実施の形態では、家屋添設部３の一階部分を玄関１ａ、二階部分を吹き抜け１ｂとしているが、間取りについては特に限定されるものではない。ただし、本発明の場合、家屋本体部２では得られない高さの垂直方向への吹き抜けを形成して解放感のある空間を構成することができるので、少なくとも二階部分は、このような解放感のある空間を活かした間取りにすることが好ましい。また、外観についても、住宅建物１は、家屋本体部２と家屋添設部３とを複合した状態で、家屋本体部２のバルコニー２２や小屋根２３などが家屋添設部３に全く添設しないようにしたものであってもよいし、本実施の形態に示すように家屋本体２のバルコニー２２や小屋根２３が家屋添設部３にも添設するようになされたものであってもよい。図４は、家屋添設部３の前後から家屋本体部２のバルコニー２２、２２が添設した状態を示している。同図において、図１ないし図３と同部材には同符号を付して説明を省略する。ただし、このような家屋添設部３に、家屋本体部２のバルコニー２２や小屋根２３を添設する場合、バルコニー２２や小屋根２３によって腰壁３２を分断してしまうと、垂直方向の量感を増すことができ難くなってしまうこととなる。したがって、家屋添設部３に家屋本体部２のバルコニー２２や小屋根２３を添設する場合は、地面から陸屋根３１に到る垂直方向に切り立った腰壁３２を確保できる範囲で行わなければならない。
【００１８】
さらに、本実施の形態では、家屋本体部２の勾配屋根は寄棟屋根２１となされているが、この勾配屋根は切妻屋根であってもよい。
【００１９】
【発明の効果】
以上述べたように、本発明によると、家屋添設部は、勾配屋根の下端部周縁と一部分オーバーラップするようにして家屋本体部と複合し、勾配屋根上に陸屋根が立ち上がる家屋添設部勝ちの納まりとしているので、小さくまとまりがちな勾配屋根の家屋本体部の周縁の一部に、垂直方向への量感を増す家屋添設部をアクセントとして加えることとなり、邸宅感および高級感を演出できることとなる。また、内部空間的にも、陸屋根で構成されている家屋添設部の部分の天井高を部分的に高くすることができ、空間設計の自由度を拡大することができる。
【００２０】
また、家屋本体部と家屋添設部との複合により、勾配屋根を流れる雨水の一部が、複合した家屋添設部にぶつかってスムーズな雨水の流れを確保できなくなることが懸念されるが、家屋本体部の勾配屋根の上部側に面する辺のパラペットを取り除き、勾配屋根からの雨水が、このパラペットが取り除かれた開口部から陸屋根に流入して排水されるようにすることで、家屋添設部周縁の勾配屋根を流れる雨水の流れの停滞を無くすことができる。
【図面の簡単な説明】
【図１】（ａ）ないし（ｃ）は本発明に係る住宅建物の全体構成の概略を示す正面図、背面図、側面図である。
【図２】（ａ）ないし（ｃ）は図１に係る住宅建物の一階間取り図、二階間取り図、屋根伏せ図である。
【図３】本発明に係る住宅建物の家屋本体部の寄棟屋根と家屋添設部の陸屋根との複合部分の部分断面図である。
【図４】（ａ）および（ｂ）は本発明に係る住宅建物の他の実施の形態を示す正面図および側面図である。
【符号の説明】
１  住宅建物
２  家屋本体部
２１  寄棟屋根（勾配屋根）
３  家屋添設部
３１  陸屋根
３２  腰壁
３３  パラペット
３３ａ  開口部
【図１】
2004169300.tif 000003
【図２】
2004169300.tif 000004
【図３】
2004169300.tif 000005
【図４】
2004169300.tif 000006